(57)【特許請求の範囲】
【請求項１】
可視光を遮光した照明光を照射する動画撮像用光源および可視蛍光撮影用励起光と可視蛍光撮影用励起光を含む照明光を照射する静止画撮像用光源からの照射光を、可視蛍光撮影用励起光と赤外光とを同時または赤外蛍光撮影用励起光を選択的に透過するエキサイターフィルター手段を介して、被検眼眼底に照射可能な眼底照明手段と、前記静止画撮像用光源が照射する照明光により形成された被検眼眼底像から可視蛍光と赤外蛍光を同時または選択的に透過し、且つ、該照明光を遮光するバリアーフィルター手段を介して被検眼眼底を静止画撮像するための第１の撮像手段と、前記動画撮像用光源が照射する照明光により形成された被検眼眼底像を動画撮像可能な第２の撮像手段と、前記第２の撮像手段が撮影した眼底像を表示する表示手段とを有することを特徴とする眼底検査装置。
【請求項２】
前記第１の撮像手段が撮影した蛍光眼底像を即時に再生する第２の表示手段を有することを特徴とする特許請求の範囲第１項記載の眼底検査装置。
【請求項３】
前記眼底照明手段は、定常光を発する第１の光源と、可視光を遮断するフィルター、ストロボ光を発するストロボ光源、前記エキサイターフィルター手段を被検眼に向かって順に配置したことを特徴とする特許請求の範囲第１項記載の眼底検査装置。
【発明の詳細な説明】
【０００１】
【産業上の利用分野】
本発明は、眼科医院等にて用いられる眼底カメラ等の眼底検査装置に関するものである。
【０００２】
【従来の技術】
従来の蛍光撮影においては銀塩フィルムを用いて撮影を行っていたために、撮影したフィルムを現像しなければ蛍光像を確認できなかった。この場合、現像した後で蛍光像が不良であることが判ってから撮影をやり直すのは現実的に困難であるので、良好に蛍光像を撮影するためには蛍光像を実際に見ながら撮影する必要があった。しかしながら、可視蛍光像は非常に微弱であり、ＴＶカメラを用いて観察したのでは必要なコントラストが得られないため、肉眼観察をする必要があった。一方、赤外の蛍光像は、肉眼観察できないためＴＶカメラを用いて観察する必要があった。
【０００３】
そこで従来の可視蛍光撮影と赤外蛍光撮影を行える眼底検査装置では、可視光を用いた蛍光撮影の時には、ファインダーより蛍光像を肉眼観察しながら撮影部位の確認等のアライメントを行い、また赤外光を用いた蛍光撮影の時には、観察用の赤外ＴＶカメラの画像をモニター観察しながら撮影部位の確認等のアライメントを行うように構成されていた。
【０００４】
【発明が解決しようとしている課題】
このように異なる観察手段を用いる必要がある従来の装置では、一台の眼底カメラで、可視光による蛍光撮影と、赤外光による蛍光撮影とを交互に行おうとすると、その度に観察手段を切り替えなければならず、切替のために煩雑な作業が必要になり、さらに装置の構造が複雑になるという欠点があった。
【０００５】
本発明は、上述従来例の欠点に鑑み、可視蛍光撮影と赤外蛍光撮影の切り替えに煩雑な観察手段の切り替えを必要としない、構成が簡単な眼底検査装置を提供することを目的とする。
【０００６】
【課題を解決するための手段及び作用】
上記目的を達成するため、本出願に係る第１の発明は、可視光を遮光した照明光を照射する動画撮像用光源および可視蛍光撮影用励起光と可視蛍光撮影用励起光を含む照明光を照射する静止画撮像用光源からの照射光を、可視蛍光撮影用励起光と赤外光とを同時または赤外蛍光撮影用励起光を選択的に透過するエキサイターフィルター手段を介して、被検眼眼底に照射可能な眼底照明手段と、前記静止画撮像用光源が照射する照明光により形成された被検眼眼底像から可視蛍光と赤外蛍光を同時または選択的に透過し、且つ、該照明光を遮光するバリアーフィルター手段を介して被検眼眼底を静止画撮像するための第１の撮像手段と、前記動画撮像用光源が照射する照明光により形成された被検眼眼底像を動画撮像可能な第２の撮像手段と、前記第２の撮像手段が撮影した眼底像を表示する表示手段とを有することを特徴とする眼底検査装置である。
【００１０】
【実施例】
図１は、本発明の第１実施例の眼底カメラの説明図である。
【００１１】
図中、１は、ランプ等の観察、アライメント用光源、２はコンデンサーレンズ、３はストロボ光源等の静止画撮像用光源、４はコンデンサーレンズ、５はミラー、６はリング状の開口を有する絞り、７はリレーレンズである。
【００１２】
８ａ、８ｂはそれぞれ、ＦＡＧ（ｆｌｕｏｒｅｓｃｅｎｔ  ａｎｇｉｏｇｒａｐｈｙ）用、ＩＣＧ（ｉｎｄｏｃｙａｎｉｎｇｒｅｅｎ）用、即ちそれぞれ可視蛍光撮影用、赤外蛍光撮影用のエキサイタフィルターである。
【００１３】
９はリレーレンズ、１０は穴あきミラ−、１１は対物レンズ、１２は合焦のための可動レンズ、１３は撮影レンズ、１４は撮影の瞬間光路外に退避する跳ね上げミラー、１５はミラー、１６はフィールドレンズ、１７はレンズである。
【００１４】
１８は静止画撮像用のバンドパスフィルタであるバリアフィルター、１９はピント板である。
【００１５】
２０はスチルビデオカメラ等の静止画撮像用の第１のカメラ、２１はテレビカメラ等の動画観察用の第２のカメラである。
【００１６】
２２、２３はモード選択スイッチ、２４はアライメント用モニター、２５は撮影スイッチ、２６は制御用回路、２７は再生用モニター、Ｅは被検眼、Ｅｐは被検眼瞳孔、Ｅｒは被検眼眼底である。
【００１７】
この構成において、対物レンズ１１から第１のカメラ２０までは、第１の撮影光学系を構成し、跳ね上げミラー１４から、第２のカメラ２１までは、観察用の第２の撮影光学系を構成する。
【００１８】
ここで、第１のカメラとして、ストロボ照明に同期して、高精細な静止画撮像が可能なＴＶカメラを、第２のカメラとして標準ＴＶ信号で動画撮像できる高感度ＴＶカメラを用いることが望ましい。
【００１９】
この眼底カメラにより、ＦＡＧ撮影（可視蛍光撮影）をする場合について説明する。まず、モード選択スイッチ２２によりＦＡＧモードを選択する。すると、ＦＡＧ用のエキサイタフィルター８ａが、光路内に挿入される。
【００２０】
ＦＡＧ用のエキサイタフィルター８ａの、分光透過特性を図２に示す。以下に述べる図２〜図５においては縦軸は透過率Ｔ、横軸は光波長である。図２において８ａ１、８ａ２で示した実線がエキサイタフィルター８ａの分光透過特性である。８ａ１が（可視光である）可視蛍光励起光の透過域であり、８ａ２は可視蛍光励起とは関係ない赤外光の透過域である。
【００２１】
光源１を発した光束はコンデンサーレンズ２、ストロボ３、コンデンサーレンズ４を通り、ミラー５により上方に反射され、被検眼前眼部共役な絞り６のリング状の開口、リレーレンズ７、ＦＡＧ用のエキサイタフィルター８ａ、リレーレンズ９を経由し、被検眼前眼部共役な穴あきミラー１０のミラー部により左方に反射され、対物レンズ１１を通り、被検眼瞳孔Ｅｐより眼底Ｅｒを照明する。
【００２２】
このように照明された眼底からの反射光は、瞳孔Ｅｐより、対物レンズ１１、穴あきミラー１０の穴部、可動レンズ１２、撮影レンズ１３を通り、跳ね上げミラー１４により上方に反射され、さらにミラー１５により右方に反射され、フィールドレンズ１６、ピント板１９、レンズ１７を通り、動画観察用の第２のカメラ２１の撮像面に結像する。この像は、ビデオ信号に変換されモニター２４に映出される。この像は、図２に示される概略２波長域の光により形成された像であるが、主に眼底面での反射率の高い赤外光によって形成された像である。
【００２３】
検者は、この像を見て撮影部位、アライメント、ピントの状態を確認する。これらが、良好であることを確認した後、被検者に蛍光剤を静注する。蛍光剤が眼底に循環してくると、蛍光像が出現する。
【００２４】
この蛍光像は、照明光による眼底像に比べて光強度が弱いため、モニター２４では殆ど観察できない。そこで、検者は蛍光像の出現する頃合を見計らって撮影スイッチ２８を操作する。
【００２５】
これにより、跳ね上げミラー１４は光路外に退避するとともにストロボ光源３が発光する。ストロボ光源３を発した光束は、光源１を発した光と同様の光路を通り、エキサイタフィルター８ａの透過帯の波長の光で眼底を照明する。このように照明された眼底から発する蛍光は、瞳孔Ｅｐより、対物レンズ８、穴あきミラー１０の穴部、可動レンズ１２、撮影レンズ１３、バリアーフィルター１８を経て、静止画撮像用の第１のカメラ２０の撮像面に結像する。
【００２６】
バリアフィルター１８の分光透過特性を図３に破線１８１、１８２で示す。このようにこのバリアーフィルター１８は、ＦＡＧ用のエキサイタフィルター８ａを透過した、図３に８ａ１で波長域を示す励起光と８ａ２で波長域を示すこの可視蛍光とは無関係な赤外光とを遮断し、ＦＡＧ用のエキサイタフィルター８ａを透過した励起光によって眼底より発生する蛍光のみを透過する。このため、第１のカメラ２０の撮像面には可視蛍光像のみが結像する。
【００２７】
この像は、電気信号に変換された後、デジタル信号に変換され、制御用回路２６中のメモリーに記憶されると同時に即時再生用モニター２７に表示される。検者は、このモニター２７に再生された蛍光像を見て蛍光の状態等を確認し、次に撮影する撮影部位を決定して、再度撮影スイッチ２８を操作する。以上の動作を繰り返して必要な画像を撮像した後、ＦＡＧ撮影を終了する。
【００２８】
次に、赤外蛍光撮影（ＩＣＧ撮影）について説明する。まず、モード選択スイッチ２３によりＩＣＧモードを選択する。するとＩＣＧ用エキサイタフィルター８ｂを光路上に挿入する。
【００２９】
このような配置において、ＦＡＧ撮影の場合と同様に、光源１を発した光束はコンデンサーレンズ２、ストロボ３、コンデンサーレンズ４を通り、ミラー５により上方に反射され、絞り６のリング状の開口、リレーレンズ７を経由する。そして今度は、ＩＣＧ用のエキサイタフィルター８ｂを通過し、リレーレンズ９を通り、穴あきミラー１０のミラー部により左方に反射され、対物レンズを通り、被検眼瞳孔Ｅｐより眼底Ｅｒを照明する。
【００３０】
このように照明された眼底像は、瞳孔Ｅｐより、対物レンズ１１、穴あきミラー１０の穴部、可動レンズ１２、撮影レンズ１３を通り、第１の跳ね上げミラー１４により上方に反射され、さらにミラー１５により右方に反射され、フィールドレンズ１６、ピント板１９、レンズ１７を通り、動画観察用の第２のカメラ２１の撮像面に結像する。この像は、ビデオ信号に変換されモニター２４に映出される。
【００３１】
図４にはＩＣＧ用エキサイタフィルター８ｂの透過帯を実線８ｂで示してある。モニターに映し出されたのはこの波長域の光によって形成された眼底の反射像である。
【００３２】
検者は、モニター２４に映ったこの像を見て撮影部位、アライメント、ピントの状態を確認する。これらが、良好であることを確認した後、被検者に蛍光剤（インドシアニングリーン）を静注する。
【００３３】
蛍光剤が、眼底に循環してくると、蛍光像が出現する。前述のＦＡＧの場合と同様この蛍光像は、照明光による眼底像に比べて光強度が弱いため、モニター２４ではほとんど観察できない。従ってＦＡＧの場合と同様、検者は蛍光像が出現する頃合を見計らって撮影スイッチ２８を操作する。これにより、跳ね上げミラー１４は光路外に退避するとともにストロボ光源３を発光する。ストロボ光源３を発した光束は、光源１を発した光と同様の光路を通り眼底を照明する。このように照明された眼底像は、瞳孔Ｅｐより、対物レンズ８、穴あきミラー１０の穴部、可動レンズ１２、撮影レンズ１３を経由し、この蛍光の波長を透過する透過帯１８２を有するバリアーフィルター１８を通り、静止画撮像用の第１のカメラ２０の撮像面に結像する。
【００３４】
図４に示すように、このバリアーフィルター１８は、励起光の反射光は透過せず、蛍光のみを透過するため、撮像面には蛍光像のみが結像する。
【００３５】
この像は、電気信号に変換された後、デジタル信号に変換され、制御用回路２６中のメモリーに記憶されると同時に即時再生用モニター２７に表示される。検者は、この即時再生用モニター２７に表示される蛍光像を見て蛍光の状態を観察し、次に撮影する撮影部位を決定し、再度撮影スイッチ２８を操作する。以上の動作を繰り返しＩＣＧ撮影を終了する。
【００３６】
このように、静止画撮像手段により撮影した蛍光像を即時に再生して観察できるため、従来の銀塩フィルムを使っての蛍光撮影時のように、敢えて蛍光像を観察しなくとも、蛍光撮影を行い必要な画像を得ることができる。
【００３７】
また、この実施例の場合、観察アライメントに眼底での反射率の高い赤外光を主に用いるため、特にＦＡＧの観察アライメント中に被検眼に照射する光量を少なくすることができ、被検者の負担を軽減することができる。
【００３８】
前記実施例において、被検者への負担を少なくできる状態であれば、ＦＡＧ撮影の時に用いたエキサイタフィルター８ａを、可視蛍光の励起光と、赤外蛍光の励起光を両方透過するデュアルバンドのエキサイタフィルターとし、ＩＣＧ，ＦＡＧ両方の蛍光撮影に共通に用いても良い。その場合、部品を少なくでき、また可動部を少なくできる。しかし、前述実施例に示したように、別個のフィルターを設けた方が、ＩＣＧ撮影の観察アライメント時には、被検眼へＦＡＧの励起光を照射すること無く、赤外光でのみ照明するため、被検者は眩しさを感じることが無くなり、撮影の障害の原因になる可能性のある流涙等を防ぐことができる。
【００３９】
また、第２のカメラ２１用の光学系中に、照明光による眼底からの反射光束の透過を抑え、蛍光の透過する割合を多くするフィルターを配置することにより、眼底像と同時に蛍光像をも観察することもできる。この場合に用いるフィルターの特性を図５の破線に示す。１９１、１９２がこのフィルターの透過域を示し、この透過域はそれぞれ可視蛍光、赤外蛍光の波長域と概略一致する。矢印Ａ，Ｂで示した部分が照明光の眼底反射光束の透過領域である。このようなフィルターを第２のカメラ２１用の光学系中に配置することにより、蛍光の出現する初期の様子を逃さずに捕らえることができるため、更に多くの情報を得て診断に役立てることができる。
【００４０】
また、ＦＡＧ撮影の場合、従来から、励起光を使って観察アライメントを行ってきたが、可視光は眼底での反射率が低いため、定常的に強い可視光を眼底に照射しなければならず、この光は、被検者にとって大変眩しいため、流涙を生じたり、安定した固視ができなくなったりして、撮影の障害になる場合がある。そこで図６に示すように光源１と光源３の間に図７の実線でその透過特性を示す可視光をカットするフィルタ２８を配置すれば、ＦＡＧ撮影においても赤外光のみで観察アライメントを行い、撮影時だけＦＡＧ励起光（可視光）で眼底を照明することができるため、前述の観察アライメント中被検者が眩しいという問題を解決でき、被検者の負担を軽減し、更に快適な撮影環境を提供することができる。
【００４１】
【発明の効果】
以上説明したように、本出願に係る第１発明によれば、撮影した蛍光像を、瞬時に再生して観察することができるため、あえて蛍光像を観察しながら撮影する必要が無く、赤外蛍光撮影と可視蛍光撮影とに共通の観察手段を用いることができるため、赤外蛍光撮影から可視蛍光撮影へ、またはその逆へと煩雑な作業無く切り替えることができるため器械を有効に使うことができる。
【００４２】
また第２発明によれば更に、撮像手段は、前記可視蛍光及び赤外蛍光と、前記励起光の眼底反射光の一部を透過する特性の観察用波長フィルター手段を介して被検眼眼底を撮像することにより、前記第２の表示手段によって前記励起光による眼底像とともに蛍光像も観察可能とできる。
【００４３】
また第３発明によれば更に、可視蛍光撮影用励起光を含む照明光が可視蛍光撮影用励起光と赤外光を含む様にしたことにより、アライメントに赤外光を主に用いることができ、被検者への目の負担を低減できる。
【００４４】
また第４発明によれば更に、前記眼底照明手段が定常光を発する第１の光源とストロボ光を発するストロボ光源を有し、前記第１の光源と第２の光源の間に可視光をカットするフィルターを配置したことにより、アライメントに赤外光を用いることができ、被検者への目の負担を低減できる。
【図面の簡単な説明】
【図１】本発明の第１の実施例に係る配置を表わす図である。
【図２】フィルターの分光特性を表わす図である。
【図３】フィルターの分光特性を表わす図である。
【図４】フィルターの分光特性を表わす図である。
【図５】フィルターの分光特性を表わす図である。
【図６】可視カットフィルターを配置した実施例の部分説明図である。
【図７】フィルターの分光特性を表わす図である。
【符号の説明】
１  観察、アライメント用光源
２  コンデンサーレンズ
３  静止画撮像用光源
４  コンデンサーレンズ
５  ミラー
６  リング状開口絞り
７  リレーレンズ
８ａ，８ｂ    ＦＡＧ，ＩＣＧ用のエキサイターフィルター
９  リレーレンズ
１０  穴あきミラー
１１  対物レンズ
１２  可動レンズ
１３  撮影レンズ
１４  跳ね上げミラー
１５  ミラー
１６  フィールドレンズ
１７  レンズ
１８  バリアフィルター
１９  ピント板
２０  静止画撮像用の第１のカメラ
２１  動画観察用の第２のカメラ
２２，２３  モード選択スイッチ
２４  アライメント用モニター
２５  撮影スイッチ
２６  制御手段
２７  再生用モニター
２８  可視カットフィルター
Ｅ  被検眼
Ｅｐ  被検眼瞳孔
Ｅｒ  被検眼眼底
【図１】
0003581437.tif 000002
【図２】
0003581437.tif 000003
【図３】
0003581437.tif 000004
【図４】
0003581437.tif 000005
【図５】
0003581437.tif 000006
【図６】
0003581437.tif 000007
【図７】
0003581437.tif 000008